(57)【特許請求の範囲】
【請求項１】
記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技盤に形成された遊技領域に遊技媒体を発射して所定の遊技を行う遊技機であって、
前記遊技盤に取り付けられ遊技媒体が接触可能な位置に配置された構造体における少なくとも一部が、導電性物質を含有する導電性合成樹脂で形成され、
前記記録媒体処理装置と通信を行うための配線ケーブルが接続される基板を備え、
前記基板に、
前記導電性合成樹脂に電気的に接続される第１のコネクタと、
前記第１のコネクタと電気的に接続され、前記記録媒体処理装置の前記接地部に前記配線ケーブルを介して電気的に接続される第２のコネクタとが設けられた
ことを特徴とする遊技機。
【請求項２】
構造体は、該構造体を遊技盤に取り付けるための取付部を含み、
前記取付部が導電性合成樹脂で形成されている
請求項１記載の遊技機。
【請求項３】
遊技盤は、導電性を有する導電性部材を含む
請求項１または請求項２記載の遊技機。
【請求項４】
遊技盤は、導電性を有する導電性部材を含み、
構造体における取付部が、前記導電性部材と導通するように導電性を有する取付部材で前記遊技盤に取り付けられている
請求項２記載の遊技機。
【請求項５】
導電性部材はシート状であって、遊技盤の表面または内部に積層される
請求項３または請求項４記載の遊技機。
【請求項６】
構造体は遊技媒体と接触可能な接触部を含み、
前記接触部は導電性合成樹脂で形成されている
請求項１ないし請求項５記載の遊技機。
【請求項７】
接触部において導電性合成樹脂部分は遊技媒体と直接接触するように露出している
請求項６記載の遊技機。
【請求項８】
導電性合成樹脂で形成されている部分を接地するための接地接続部を備えた
請求項１ないし請求項７記載の遊技機。
【請求項９】
導電性合成樹脂は、ステンレスフィラーを含有する合成樹脂である
請求項１ないし請求項８記載の遊技機。
【請求項１０】
ステンレスフィラーは繊維状である
請求項９記載の遊技機。
【請求項１１】
導電性合成樹脂は、カーボンを含有する合成樹脂である
請求項１ないし請求項１０記載の遊技機。
【請求項１２】
構造体は、発光手段を備えた構造体を含み、
前記構造体において前記発光手段からの光を透光させる部分は非導電性合成樹脂からなる
請求項１ないし請求項１１記載の遊技機。
【請求項１３】
構造体は、識別情報を可変表示する可変表示装置を装飾する装飾部材を含む
請求項１ないし請求項１２記載の遊技機。
【請求項１４】
記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技盤に形成された遊技領域に遊技媒体を発射して所定の遊技を行う遊技機であって、
前記遊技盤の表面に設置されている部材に、導電性物質を含有する導電性合成樹脂で形成されている部材が含まれ、
前記記録媒体処理装置と通信を行うための配線ケーブルが接続される基板を備え、
前記基板に、
前記導電性合成樹脂で形成されている部材に電気的に接続される第１のコネクタと、
前記第１のコネクタと電気的に接続され、前記記録媒体処理装置の前記接地部に前記配線ケーブルを介して電気的に接続される第２のコネクタとが設けられた
ことを特徴とする遊技機。
【発明の詳細な説明】
【０００１】
【発明の属する技術分野】
本発明は、遊技媒体が遊技領域において移動しつつ遊技が進行するパチンコ遊技機等の遊技機に関する。
【０００２】
【従来の技術】
遊技機として、遊技球を発射装置によって遊技領域に発射し、遊技領域に設けられている入賞口などの入賞領域に遊技球が入賞すると、所定個の遊技球が賞球として遊技者に払い出される遊技機がある。遊技機は、入賞に応じて賞球払出を行うので、少なくとも賞球払出を行うことができる払出機構を備えている必要がある。
【０００３】
また、遊技者は、遊技球を借り出し、借り出した遊技球および入賞に応じて払い出された遊技球を用いて遊技を行う。その際、遊技者からの遊技球貸し要求はカードユニット等の貸出要求処理装置で一旦受け付けられ、遊技機の貸出制御手段は貸出要求処理装置と通信することによって遊技者からの貸出要求を受け付ける。そして、貸出管理手段が、払出機構を制御して遊技球の貸出を行う。あるいは、コイン投入に応じて遊技球を払い出す球貸し機にコインを投入することによって、遊技者が球貸し機から遊技球を借り出すことを前提とした遊技機もある。
【０００４】
遊技店における各遊技機の払出機構に対する遊技球の補給は、一般に、遊技店における遊技機設置島に備えられているいる補給機構から一括して行われる。すなわち、遊技機外部から遊技球の補給がなされる。遊技機外部から補給された遊技球は、遊技機内部に設けられている払出機構まで誘導される必要があるが、外部から補給された遊技球は遊技機における上部に設置された貯留タンクに貯留され、貯留タンクから払出機構に流下する構造がとられることが多い。さらに、払出機構から払い出された遊技球を、払出機構から遊技機前面に設けられている皿貯留部に流下させる構造が採用されることが多い。
【０００５】
遊技者は、払出機構から払い出され皿貯留部に貯留されている遊技球を発射装置によって遊技領域に遊技球を発射するのであるが、上記のように流下した遊技球が、流下経路において帯電していることが多い。帯電している遊技球が遊技領域に発射されると、遊技領域に設けられている釘等の金属部材に遊技球が衝突したときに急激な放電が生じ、遊技機に設けられている制御回路における電子部品や配線ケーブルに対して電気的なノイズを与えてしまう。その結果、制御回路が誤動作してしまうこともある。
【０００６】
【発明が解決しようとする課題】
遊技機の遊技領域における静電気対策として、遊技盤面に設けられている釘を導電性の高いステンレススチール製にしたり遊技盤面に設けられている部材に金属めっきを施したりした上で、さらに、それらを導電層に接触させるように構成することが提案されている。そのような構成によれば、帯電した遊技球の電荷を、金属部分を介して導電層に逃がすことができる。
【０００７】
しかし、帯電している遊技球の電荷を導電層に逃がすように構成されている場合でも、ステンレススチール製の部材や金属めっきが施された導電性の高い部材を使用しているので、それらに遊技球が接触する際に、やはり、急激な放電が生ずる可能性が残る。すなわち、遊技盤における従来の静電気対策では、急激な放電にもとづく電気的ノイズの発生を完全には防止できていないという課題がある。
【０００８】
そこで、本発明は、遊技媒体が遊技領域内を移動することによって遊技が進行する遊技機において、遊技領域内での遊技媒体の急激な放電にもとづくノイズの発生をより効果的に防止することができる構造を提供することを目的とする。
【０００９】
【課題を解決するための手段】
本発明による遊技機は、記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技盤に形成された遊技領域に遊技媒体を発射して所定の遊技を行う遊技機であって、遊技盤に取り付けられ遊技媒体が接触可能な位置に配置された構造体における少なくとも一部が、導電性物質を含有する導電性合成樹脂で形成され、記録媒体処理装置と通信を行うための配線ケーブルが接続される基板を備え、基板に、導電性合成樹脂に電気的に接続される第１のコネクタと、第１のコネクタと電気的に接続され、記録媒体処理装置の接地部に配線ケーブルを介して電気的に接続される第２のコネクタとが設けられたことを特徴とする。
【００１０】
構造体が構造体を遊技盤に取り付けるための取付部を含み、取付部が導電性合成樹脂で形成されていてもよい。
【００１１】
遊技盤が、導電性を有する導電性部材を含むように構成されていてもよい。
【００１２】
遊技盤が導電性を有する導電性部材を含み、構造体における取付部が、導電性部材と導通するように導電性を有する取付部材で遊技盤に取り付けられているように構成されていてもよい。
【００１３】
導電性部材がシート状であって、遊技盤の表面または内部に積層されるように構成されていてもよい。
【００１４】
構造体が遊技媒体と接触可能な接触部を含み、接触部が導電性合成樹脂で形成されていてもよい。
【００１５】
接触部において導電性合成樹脂部分は遊技媒体と直接接触するように露出していることが好ましい。すなわち、接触部には金属等が被覆されていないことが好ましい。
【００１６】
導電性合成樹脂で形成されている部分を接地するための接地接続部を備えていてもよい。
【００１７】
導電性合成樹脂は、例えば、ステンレスフィラーを含有する合成樹脂である。
【００１８】
ステンレスフィラーは例えば繊維状である。
【００１９】
導電性合成樹脂は、カーボンを含有する合成樹脂であってもよい。
【００２０】
構造体が発光手段を備えた構造体である場合、構造体において発光手段からの光を透光させる部分は非導電性合成樹脂からなるように構成されていてもよい。
【００２１】
構造体は、例えば、識別情報を可変表示する可変表示装置を装飾する装飾部材である。
【００２２】
遊技機は、記録媒体を用いて遊技者に遊技媒体を貸し出すための処理を行なう機能を有し接地部を有する記録媒体処理装置に電気的に接続可能であり、遊技媒体を貸し出す操作が行われたときに遊技媒体を払い出す払出装置が備えられ、遊技盤に形成された遊技領域に遊技媒体を発射して所定の遊技を行う遊技機であって、遊技盤の表面に設置されている部材に導電性物質を含有する導電性合成樹脂で形成されている部材が含まれ、記録媒体処理装置と通信を行うための配線ケーブルが接続される基板を備え、基板に、導電性合成樹脂で形成されている部材に電気的に接続される第１のコネクタと、第１のコネクタと電気的に接続され、記録媒体処理装置の接地部に配線ケーブルを介して電気的に接続される第２のコネクタとが設けられた構造である。
【００２３】
【発明の実施の形態】
以下、本発明の一実施形態を図面を参照して説明する。
まず、遊技機の一例であるパチンコ遊技機の全体の構成について説明する。図１はパチンコ遊技機１を正面からみた正面図である。
【００２４】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板と、それらに取り付けられる種々の部品（後述する遊技盤を除く。）とを含む構造物である。また、遊技球を払い出すための通路が設けられている機構部は、機構板およびそれに取り付けられている部品を含む。
【００２５】
図１に示すように、ガラス扉枠２の下部表面には打球供給皿（貯留部）３がある。打球供給皿３の下部には、打球供給皿３からあふれた遊技球を貯留する余剰玉受皿４と打球を発射する打球操作ハンドル（操作ノブ）５が設けられている。ガラス扉枠２の後方には、遊技盤６が着脱可能に取り付けられている。なお、遊技盤６は、それを構成する板状体と、その板状体に取り付けられた種々の部品とを含む構造体である。また、遊技盤６の前面には遊技領域７が形成されている。
【００２６】
遊技領域７における上方には風車４３が設けられている。また、遊技領域７の中央付近には、複数種類の図柄を可変表示するための可変表示部（特別図柄表示装置）９が設けられている。可変表示部９には、例えば「左」、「中」、「右」の３つの図柄表示エリアがある。可変表示部９の下方には、始動入賞口１４が設けられている。始動入賞口１４に入った入賞球は、遊技盤６の背面に導かれ、始動口スイッチ（図示せず）によって検出される。また、始動入賞口１４の下部には開閉動作を行う可変入賞球装置１５が設けられている。可変入賞球装置１５は、ソレノイド（図示せず）によって開状態とされる。
【００２７】
可変入賞球装置１５の下部には、特定遊技状態（大当り状態）においてソレノイド（図示せず）によって開状態とされる開閉板２０が設けられている。この実施の形態では、開閉板２０が大入賞口を開閉する手段となる。開閉板２０から遊技盤６の背面に導かれた入賞球のうち一方（Ｖゾーン）に入った入賞球はＶ入賞スイッチ（図示せず）で検出される。また、開閉板２０からの入賞球はカウントスイッチ（図示せず）で検出される。可変表示部９の下部には、始動入賞口１４に入った入賞球数を表示する４個の表示部を有する特別図柄始動記憶表示器１８が設けられている。この例では、４個を上限として、始動入賞がある毎に、特別図柄始動記憶表示器１８は点灯している表示部を１つずつ増やす。そして、可変表示部９の可変表示が開始される毎に、点灯している表示部を１つ減らす。
【００２８】
遊技盤６には、複数の入賞口１９，２４，３２，３３が設けられ、遊技球のそれぞれの入賞口１９，２４，３２，３３への入賞は、対応して設けられている入賞口スイッチ（図示せず）によって検出される。遊技領域７における下部には、入賞しなかった打球を吸収するアウト口２６がある。
【００２９】
入賞口３２に遊技球が入賞すると、７セグメントＬＥＤによる普通図柄表示器１０の表示の可変表示が開始される。そして、普通図柄表示器１０における停止図柄が所定の図柄（当り図柄）である場合に、可変入賞球装置１５が所定時間だけ開状態になる。普通図柄表示器１０の近傍には、入賞口３２に入った入賞球数を表示する４個の表示部を有する普通図柄始動記憶表示器４１が設けられている。この例では、４個を上限として、入賞口３２への入賞がある毎に、普通図柄始動記憶表示器４１は点灯している表示部を１つずつ増やす。そして、可変入賞球装置１５の開放が開始される毎に、点灯している表示部を１つ減らす。
【００３０】
また、遊技領域７の外側の左右上部のガラス扉枠２には、効果音や音声を発する２つのスピーカ２７が設けられている。遊技領域７の外周のガラス扉枠２には、天枠ランプ２８ａ、左枠ランプ２８ｂおよび右枠ランプ２８ｃが設けられている。また、遊技盤６における遊技領域７の左右部分には、遊技効果ＬＥＤ（サイドランプ）２５が設けられている。
【００３１】
そして、この例では、左枠ランプ２８ｂの近傍に、賞球の払出残があるときに点灯する賞球ランプ５１が設けられ、天枠ランプ２８ａの近傍に、補給球が切れたときに点灯する球切れランプ５２が設けられている。さらに、図１には、パチンコ遊技機１に隣接して設置され、プリペイドカードが挿入されることによって球貸しを可能にするカードユニット５０も示されている。
【００３２】
カードユニット５０には、使用可能状態であるか否かを示す使用可表示ランプ１５１、カードユニット５０がいずれの側のパチンコ遊技機１に対応しているのかを示す連結台方向表示器１５３、カードユニット５０内にカードが投入されていることを示すカード投入表示ランプ１５４、記録媒体としてのカードが挿入されるカード挿入口１５５、およびカード挿入口１５５の裏面に設けられているカードリーダライタの機構を点検する場合にカードユニット５０を解放するためのカードユニット錠１５６が設けられている。
【００３３】
打球発射装置から発射された金属製の遊技球は、打球レールを通って逆流防止部材４２を越えて遊技領域７に入り、その後、遊技領域７を下りてくる。打球が始動入賞口１４に入り始動口スイッチ１７で検出されると、図柄の変動を開始できる状態であれば、可変表示部９内の図柄が回転を始める。図柄の変動を開始できる状態でなければ、始動入賞記憶を１増やす。
【００３４】
可変表示部９内の画像の回転は、一定時間が経過したときに停止する。停止時の画像の組み合わせが大当り図柄の組み合わせであると、大当り遊技状態に移行する。すなわち、開閉板２０が、一定時間経過するまで、または、所定個数（例えば１０個）の打球が入賞するまで開放する。そして、開閉板２０の開放中に打球が特定入賞領域に入賞しＶ入賞スイッチで検出されると、継続権が発生し開閉板２０の開放が再度行われる。継続権の発生は、所定回数（例えば１５ラウンド）許容される。
【００３５】
停止時の可変表示部９内の画像の組み合わせが確率変動を伴う大当り図柄の組み合わせである場合には、次に大当りとなる確率が高くなる。すなわち、高確率状態という遊技者にとってさらに有利な状態となる。
【００３６】
打球が入賞口３２に入賞するると、普通図柄表示器１０の表示数字が連続的に変化する状態になる。また、普通図柄表示器１０における停止図柄が所定の図柄（当り図柄）である場合に、可変入賞球装置１５が所定時間だけ開状態になる。さらに、高確率状態では、普通図柄表示器１０における停止図柄が当り図柄になる確率が高められるとともに、可変入賞球装置１５の開放時間と開放回数が高められる。
【００３７】
遊技盤６に取り付けられている部材であって遊技球に接触しうる部材（構造体：釘を除く）において少なくとも一部は、ステンレス繊維を含有する合成樹脂で形成されている。遊技盤６の遊技領域７において遊技球に接触しうる構造体として、逆流防止部材４２、風車４３、可変入賞球装置１５や開閉板２０による大入賞口を始めとする各可変入賞装置、一般の入賞装置、可変表示部９の周辺に設けられている装飾部材（表飾り）９Ａ、サイドランプ２５等がある。なお、図１に例示された遊技領域７の構成とは異なる構成のパチンコ遊技機では、遊技領域においてゲートや振り分け部材等の遊技球と接触しうる他の構造体が設置されることがあるが、そのような遊技機においても、構造体における少なくとも一部をステンレス繊維を含有する合成樹脂で形成すれば、以下で説明するような効果を得ることができる。
【００３８】
ステンレス繊維を含有する合成樹脂として、ベースとしての合成樹脂に直径６〜１０μｍの極細のステンレス繊維をフィラーとして４〜８重量％（例えば６重量％）添加した合成樹脂を使用可能である。極細のステンレス繊維を使用しているので、少ない添加量で、温度や湿度の環境変化に対しても変わらない導電性を発揮することができる。当然、防錆性にも優れている。ベースとしての合成樹脂として種々の熱可塑性樹脂を使用することができる。ベースとしてＡＢＳ樹脂を用いフィラーとしてのステンレス繊維を６重量％添加すると、ステンレス繊維を６重量％含有するＡＢＳ樹脂を得ることができる。ベースとしてポリカーボネートを使用すれば、ステンレス繊維を含有するポリカーボネートを得ることができる。
【００３９】
図２に、遊技領域において遊技球に接触しうる構造体の一例としてサイドランプ２５を示す。図２に示す構成では、サイドランプ２５は、ＬＥＤ２５ａが搭載されたＬＥＤ基板２３２が、遊技球４０１と接触しうる接触部２３３に取り付けられている。接触部２３３は、ビス２３４で、遊技盤６の表面と接触する取付部２３５に取り付けられている。なお、この例では、取付部２３５も遊技球４０１に接触しうる。また、ＬＥＤ２５ａの表側には、ＬＥＤ２５ａを覆うように、例えば透明性を有する非導電性の合成樹脂によるレンズ部材２３１が設置されている。
【００４０】
木材基材の遊技盤６の内部には、導電部分としての例えば導電性を有する合成樹脂による導電シート２４０が敷設されている。このように、遊技球が移動する遊技盤６に導電物質が設置されているので、遊技球に対する帯電防止効果も期待できる。取付部２３５は、導電性を有する取付部材、例えば金属製のビス２３６によって遊技盤６に取り付けられるのであるが、ビス２３６は、遊技盤６の内部において導電シート２４０を貫通する。また、遊技盤６に打ち込まれる釘２４１も、遊技盤６の内部において導電シート２４０を貫通する。従って、取付部材および釘２４１は導電シート２４０と導通している。
【００４１】
遊技盤６に設置されている構造体としてのサイドランプ２５、特に、遊技球４０１と接触しうる接触部２３３は、ステンレス繊維を含有する合成樹脂で形成されている。そして、それらは、取付部２３５および取付部材によって、遊技盤６に取り付けられるとともに遊技盤６の内部に敷設されている導電シート２４０と電気的に接続される。
【００４２】
よって、遊技球４０１が帯電していても、その電荷は、接触部２３３を介して導電シート２４０側に放電される。そして、接触部２３３はステンレス繊維を含有する合成樹脂で形成されているので、急激な放電が生ずることはない。急激な放電の発生を防止するために、接触部２３３は、導電性が高い金属によって形成されていたり、表面に導電性の高い金属でめっきされていたりすることは好ましくない。すなわち、接触部２３３において、ステンレス繊維を含有する合成樹脂部分が、遊技球と直接接触可能に露出していることが好ましい。
【００４３】
また、図２に示す例では取付部２３５も遊技球４０１に接触しうるが、取付部２３５もステンレス繊維を含有する合成樹脂で形成されているので、取付部２３５において急激な放電が生ずることもない。取付部２３５が遊技球４０１に接触しないような構造が採用されている場合には、取付部２３５はステンレス繊維を含有する合成樹脂で形成されていてもよいし、他の材質で形成されていてもよい。なお、図２に示す例では接触部２３３と取付部２３５とが別部材で構成されているが、それらは一体形成されていてもよい。
【００４４】
さらに、この実施の形態では、釘２４１も遊技盤６の内部に敷設されている導電シート２４０と接触する。よって、帯電している遊技球４０１が釘２４１に接触した場合、遊技球４０１の電荷は、釘２４１を介して導電シート２４０側に放電される。
【００４５】
なお、この実施の形態では、遊技盤６に設けられる導電部分として導電性合成樹脂による導電シート２４０が用いられたが、導電シート２４０は金属製であってもよい。また、この実施の形態では、遊技盤６が、木材基材と導電部分とが積層され、内部に導電部分が設けられた構造であるが、導電部分は、遊技盤６の表面に積層されていてもよい。さらに、導電部分は必ずしもシート状の部材で形成されている必要はない。例えば、導電性インクや導電性塗料が印刷されたり塗布されたりして形成されるようにしてもよい。
【００４６】
また、この実施の形態では、遊技盤６に設けられる構造体としてサイドランプ２５を例示したが、他の構造体も、ステンレス繊維を含有する合成樹脂で形成してもよい。特に、可変表示部９の裏面には可変表示部９を制御する回路が搭載された図柄制御基板を含む可変表示制御ユニットが設けられているので、また、遊技球の接触機会が多いことから、可変表示部９の表飾り９Ａをステンレス繊維を含有する合成樹脂で形成することは特に好ましい。可変表示ユニット近傍での急激な放電の発生を防止することができるので、可変表示部９の図柄変動制御を行う回路にノイズを与えることがなく、放電ノイズによって図柄変動制御に支障をきたすということがないからである。
【００４７】
図３は、ガラス扉枠２を取り外した状態での遊技盤６の前面を示す正面図である。発射装置から発射された金属製の遊技球は、ステンレススチール製の発射レール２０１の上を進み、遊技盤６に設置されている円周状のステンレススチール製の外レール２０２に渡り、逆流防止部材４２を越えて外レール２０２に誘導されて遊技領域７に進入する。また、遊技盤６には、ステンレススチール製の内レール２０３が、外レール２０２とともに遊技領域７を囲むように設置されている。外レール２０２と内レール２０３とを接合している接合部材２０４は、ステンレススチール等の導電性部材で形成されている。従って、外レール２０２と内レール２０３とは、電気的に導通している。なお、逆流防止部材４２はステンレス繊維を含有した合成樹脂で形成されていることが好ましく、各レールもステンレス繊維を含有した合成樹脂で形成されていてもよい。
【００４８】
ガラス扉枠２の裏面（遊技盤側）には、ガラス扉枠２が閉じられた状態で外レール２０２と接触する金属板が設置されている。また、ステンレススチール製の発射レール２０１は溝状に形成され、溝の一方の壁部分は、ガラス扉枠２が閉じられた状態で、ガラス扉枠２に設置されている金属板に接触するようになっている。従って、発射レール２０１と外レール２０２とは、ガラス扉枠２が閉じられた状態では電気的に導通している。従って、遊技が行われる状態では、発射レール２０１と外レール２０２および内レール２０３とは電気的に導通している。
【００４９】
さらに、発射レール２０１の一部に、配線（例えば被覆銅線、以下の配線も同様）２０５を接続するための接続部（例えば、配線２０５の端部に設けられている金具をねじ止めするような構造）が設けられている。配線２０５は、直接に、または他の導電性の部材を介して、後述する機構板の受け金具に接続される。後述するように、機構板の受け金具は、直接に、または他の導電性の部材を介して接地される。従って、発射装置から発射された遊技球が接触する発射レール２０１、外レール２０２および内レール２０３は接地されていることになる。
【００５０】
また、打球レールは上述した遊技盤６における導電シート２４０と電気的な導通がとられている。例えば、外レール２０２が導電シート２４０と導通している。発射レール２０１、外レール２０２および内レール２０３は導通しているので、外レール２０２と導電シートとが導通していれば、打球レール（発射レール２０１、外レール２０２および内レール２０３）は導電シート２４０と導通することになる。
【００５１】
遊技盤６に設けられている導電シート２４０と外レール２０２とが導通し、外レール２０２が接地されるので、導電シート２４０も接地されることになる。導電シート２４０と実際に接地される箇所との間に位置する各部材は、導電シート２４０に対して接地接続部を構成することになる。
【００５２】
図４は、遊技機を裏面から見た背面図である。図５は、各種部材が取り付けられた機構板を遊技機背面側から見た背面図である。図６は、機構板を遊技機表側の斜め方向から見た斜視図である。
【００５３】
この実施の形態では、機構板のベース体３６として、ステンレス繊維を６重量％含有するＡＢＳ樹脂の板が用いられている。従って、機構板のベース体３６は導電性を有する。図４〜図６に示すように、パチンコ遊技機１の裏面では、機構板の上部に貯留タンク３８が設けられている。そして、パチンコ遊技機１が遊技機設置島に設置された状態でその上方から遊技球が貯留タンク３８に供給される。図４および図５に示すように、貯留タンク３８内の遊技球は、誘導レール３９を通って賞球ケース４０Ａで覆われる球払出装置に至る。貯留タンク３８から傾斜して横方向に延びる誘導レール３９は、途中で屈曲し、さらに２条に分かれて球払出装置に至る。
【００５４】
図４に示すように、遊技機裏面側では、可変表示部９を制御する図柄制御基板を含む可変表示制御ユニット２９、遊技制御用マイクロコンピュータ等が搭載された遊技制御基板（主基板）３１が設置されている。また、球払出制御を行う払出制御用マイクロコンピュータ等が搭載された払出制御基板３７が設置されている。さらに、遊技盤６に設けられている各種飾りＬＥＤ、特別図柄始動記憶表示器１８および普通図柄始動記憶表示器４１、枠側に設けられている天枠ランプ６０ａ、左枠ランプ６０ｂ、右枠ランプ６０ｃ、賞球ランプ５１および球切れランプ５２に信号を送るためのランプ制御基板３５、スピーカ２７からの音発生を制御するための音制御基板７０も設けられている。また、また、ＤＣ３０Ｖ、ＤＣ２１Ｖ、ＤＣ１２ＶおよびＤＣ５Ｖを作成する電源回路が搭載された電源基板９１０が設けられている。
【００５５】
貯留タンク３８に貯留された遊技球は誘導レール３９を通り、図５に示すように、球供給樋１８６ａ，１８６ｂを経て球払出装置に至る。球払出装置の上部には、球切れスイッチ１８７が設けられている。球切れスイッチ１８７が球切れを検出すると、球払出装置の払出動作が停止する。球切れスイッチ１８７は遊技球通路内の遊技球の有無を検出するスイッチであるが、貯留タンク３８内の補給球の不足を検出する球切れ検出スイッチ１６７も誘導レール３９における上流部分（貯留タンク３８に近接する部分）には設けられている。球切れ検出スイッチ１６７が遊技球の不足を検知すると、遊技機設置島に設けられている補給機構から遊技機に対して遊技球の補給が行われる。
【００５６】
球払出装置から払い出された遊技球は、連絡口４５および誘導樋（樋部材）２０６を通ってパチンコ遊技機１の前面に設けられている打球供給皿（上皿）３に誘導される。連絡口４５の側方には、パチンコ遊技機１の前面に設けられている余剰玉受皿（下皿）４に連通する余剰玉通路４６が形成されている。
【００５７】
入賞にもとづく景品としての遊技球や球貸し要求にもとづく遊技球が多数払い出されて打球供給皿３が満杯になり、ついには遊技球が連絡口４５に到達した後さらに遊技球が払い出されると、遊技球は、余剰玉通路４６を経て余剰玉受皿４に導かれる。さらに遊技球が払い出されると、感知レバー４７が満タンスイッチ４８を押圧して満タンスイッチ４８がオンする。その状態では、球払出装置内の払出モータの回転が停止して球払出装置の動作が停止するとともに発射装置の駆動も停止する。
【００５８】
図５に示すように、球払出装置の側方には、球供給樋１８６ａ，１８６ｂから遊技機下部の排出口１９２に至る球抜き通路１９１が形成されている。球抜き通路１９１の上部には球抜きレバー１９３が設けられ、球抜きレバー１９３が遊技店員等によって操作されると、誘導レール３９から球抜き通路１９１への遊技球通路が形成され、貯留タンク３８内に貯留されている遊技球は、排出口１９２から遊技機外に排出される。
【００５９】
機構板の側部（図５に示す例では、球抜き通路１９１の近傍）には、貯留タンク３８の位置付近から上皿への連絡口４５の位置付近まで高さ方向に延びるステンレススチール製の金具２０９が設置されている。機構板のベース体３６は導電性を有しているので、金具２０９が機構板のベース体３６に設置されることによって、機構板のベース体３６と金具２０９とは電気的に導通していることになる。
【００６０】
この実施の形態では、カードユニット５０からの信号は全て払出制御基板３７に入力される構成になっている。従って、球貸し制御に関して、カードユニット５０から主基板３１に信号が入力されることはなく、主基板３１にカードユニット５０の側から不正に信号が入力される余地はない。また、カードユニット５０で用いられる電源電圧ＡＣ２４Ｖは払出制御基板３７から供給される。よって、遊技機とカードユニット５０との接続は簡便であり、例えば、図４に示すように、払出制御基板３７に設置されたコネクタ２０８から延伸するケーブル（図示せず）のみがカードユニット５０に接続され、遊技機内のその他の基板とカードユニット５０とを接続する必要はない。
【００６１】
一般に、カードユニット５０は接地線を介して接地されているので、遊技機側の接地必要箇所をカードユニット５０のＦＧ（フレームグラウンド）端子に接続すれば、容易に遊技機側の接地必要箇所を接地することができる。この実施の形態では、金具２０９と電気的に接続されるコネクタ２０７が払出制御基板３７に設けられている（図４参照）。コネクタ２０７から延びる配線２１６は金具２０９に接続される（図６参照）。そして、払出制御基板３７において、金具２０９と電気的に接続されている線はコネクタ２０８に接続される。コネクタ２０８およびケーブルを介して、金具２０９と電気的に接続されている線は、カードユニットのＦＧ端子に接続される。従って、導電性の貯留タンク３８および機構板の金具２０９は、カードユニット５０を介して接地される。
【００６２】
この実施の形態では、貯留タンク３８は、カーボンを８重量％含有したＡＢＳ樹脂で形成されている。従って、貯留タンク３８は導電性を有する。また、貯留タンク３８の遊技機正面側の一部には金属製のアース板（金属板）２１８が取り付けられている。アース板２１８は、貯留タンク３８に貯留されている遊技球と接触可能である。従って、遊技球の電位は、貯留タンク３８に貯留されているときにアース板２１８の電位と同じになる。さらに、貯留タンク３８におけるアース板２１８以外の部分はカーボンを含有した合成樹脂で導電性を有するので、遊技球の電位は、貯留タンク３８全体の電位と同じになる。さらに、遊技店において、遊技球は遊技機設置島に設けられている補給路を通ってから遊技機の貯留タンク３８に補給されるので、貯留タンク３８に補給される前に既に遊技球が帯電していることが多い。しかし、貯留タンク３８が、カーボンを含有する導電性合成樹脂で形成され、かつ、接地されているので、遊技球の電荷は貯留タンク３８を介してアース側に逃げ遊技機の帯電が解消される。
【００６３】
また、誘導レール３９や球供給樋１８６ａ，１８６ｂは、ステンレス繊維を６重量％含有するＡＢＳ樹脂で形成されている。さらに、打球供給皿（上皿）３、余剰玉受皿（下皿）４、余剰玉通路４６および球抜き通路１９１等も、ステンレス繊維を含有する合成樹脂で形成されていることが好ましい。すなわち、機構部における遊技球が通過する全ての経路がステンレス繊維を含有する合成樹脂で形成されていることが好ましい。
【００６４】
図５に示すように、貯留タンク３８の側部には、配線２１１を接続するための接続部（例えば、配線２１１の端部に設けられている金具をねじ止めするような構造）２１２が設けられている。また、図６に示すように、配線２１１は、接続部２１３によって機構板の金具２０９に接続される。金具２０９は、カードユニット５０を介して接地されるので、貯留タンク３８の電位も接地レベルになる。
【００６５】
図７は、機構板の下部を示す部分斜視図である。この実施の形態では、遊技球を遊技機前面の打球供給皿３に導くための誘導樋２０６は、カーボンを８重量％含有したＡＢＳ樹脂で形成されている。従って、誘導樋２０６は導電性を有する。また、誘導樋２０６の近傍において流下した遊技球が接触可能な位置には、誘導樋２０６と接触する金属製のアース板（金属板）２２１が設置されている。従って、誘導樋２０６を流れる遊技球の電位は、誘導樋２０６およびアース板２２１の電位と同じになる。
【００６６】
図７に示すように、機構板の金具２０９には、金属製の受け金具２２２が取り付けられている。誘導樋２０６と受け金具２２２との間には配線２２４が這わされ、誘導樋２０６には配線２２４を接続するための接続部（例えば、配線２２４の端部に設けられている金具をねじ止めするような構造）２２３が設けられ、受け金具２２２には配線２２４を接続するための接続部（例えば、配線２２４の端部に設けられている金具をねじ止めするような構造）２２５が設けられている。
【００６７】
この実施の形態では、発射レールからの配線２０５（図３参照）は誘導樋２０６に接続されている。誘導樋２０６は導電性であり、かつ、受け金具２２２、金具２０９および払出制御基板３７を介してカードユニット５０のＦＧ端子に接続される。よって、誘導樋２０６の電位も接地レベルになっている。
【００６８】
この実施の形態では、球払出装置を収容する賞球ケース４０Ａは、カーボンを８重量％含有したポリカーボネートで形成されている。さらに、図５に示すように、賞球ケース４０Ａの上部において、ステンレススチール製の押え金具２３１によって、賞球ケース４０Ａは機構板のベース体３６に固定される。従って、導電性の賞球ケース４０Ａとステンレススチール製の押え金具２３１とは接している。また、押え金具２３１には、配線２１４を介して、機構板の金具２０９に設けられている接続部（例えば、配線２１４の端部に設けられている金具をねじ止めするような構造）２１５と電気的に接続可能な接続部２１０が設けられている（図５および図６参照）。よって、賞球ケース４０Ａの電位は金具２０９の電位と同じになる。上述したように、金具２０９の電位は接地レベルになっているので、賞球ケース４０Ａの電位も接地レベルになっている。
【００６９】
上述したように、遊技盤６において遊技媒体と接触可能な位置に設置されている各構造体（図８に示す例では、可変表示部９の表飾り９Ａ、サイドランプ２５、可変入賞球装置１５および大入賞口の開閉板２０）において、少なくとも一部にステンレス繊維を含有する合成樹脂が用いられ、さらに、ステンレス繊維を含有する合成樹脂が間接的に接地されているので、急激な放電の発生が緩和される。従って、遊技盤６の遊技領域７に進入する遊技球が帯電していても、急激な放電によってノイズが発生することが防止される。
【００７０】
また、この実施の形態の遊技機では、機構板に遊技媒体を払い出す払出機構が設置された構造において、機構部を構成する部材（上記の例では、機構板のベース体３６および遊技球の通路）が、ステンレス繊維を含有する合成樹脂で形成されている。従って、遊技機の難燃性が高まるとともに、遊技球の帯電防止の効果も向上する。特に、遊技媒体を払い出す払出機構において、遊技球が流れる球通路がステンレス繊維を含有する合成樹脂で形成されているので、帯電防止の効果は大きい。
【００７１】
なお、この実施の形態では、遊技盤６に設置されている構造体を形成する導電性合成樹脂としてステンレス繊維を含有する合成樹脂が用いられたが、カーボンを含有する合成樹脂を用いてもよい。
【００７２】
さらに、合成樹脂に対してステンレス繊維のみを含有させた場合には、合成樹脂自体の熱変形等に起因してステンレス繊維の接触が弱まって導電性が低下する可能性があることが報告されている。そのような可能性を排除するために、ステンレス含有合成樹脂にさらにカーボンを含有させたものを用いてもよい。すなわち、上述したステンレス繊維を含有する合成樹脂に代えて、ステンレス繊維およびカーボンを含有する合成樹脂で形成してもよい。また、合成樹脂に対してステンレス繊維のみを含有させた場合でもそのような合成樹脂は高いシールド性を示すのであるが、さらにカーボンを含有させた場合には、高温、低温が繰り返されるような環境下にあっても、シールド効果が低下しない。
【００７３】
図８は、機構板３６に取り付けられている各部材を、遊技盤６、払出制御基板３７およびカードユニット５０とともに示す結線図である。上述したように、発射レール２０１、外レール２０２および内レール２０３は、遊技が行われるときには電気的に導通している。また、遊技盤６において各構造体と電気的に接続されている導電シート２４０は外レール２０２と導通している。
【００７４】
誘導樋２０６はカーボンを８重量％含有したＡＢＳ樹脂で形成され、かつ、誘導樋２０６にはアース板２２１が接触している。発射レール２０１と誘導樋２０６とは配線２０５で接続されている。また、誘導樋２０６は、配線２２４によって、機構板の金具２０９に接続された受け金具２２２に接続されている。金具２０９および受け金具２２２はステンレススチール製である。従って、遊技盤６の導電シート２４０、打球レールおよび誘導樋２０６の電位は、機構板の金具２０９の電位と同じである。
【００７５】
貯留タンク３８はカーボンを８重量％含有したＡＢＳ樹脂で形成され、かつ、その一部にはアース板２１８取り付けられている。貯留タンク３８は、配線２１１によって、機構板の金具２０９に接続されている。よって、貯留タンク３８の電位は、機構板の金具２０９の電位と同じである。
【００７６】
また、賞球ケース４０Ａはカーボンを８重量％含有したポリカーボネートで形成されている。そして、ステンレススチール製の押え金具２３１が賞球ケース４０Ａに接している。さらに、押え金具２３１は、配線２１４によって、機構板の金具２０９に接続されている。よって、賞球ケース４０Ａの電位は、機構板の金具２０９の電位と同じである。
【００７７】
従って、発射装置から発射された遊技球の通路となる打球レール、遊技盤６に設けられている導電性合成樹脂による各構造体、払い出される遊技球の通路の主要部となる貯留タンク３８、球払出装置内の球通路２９３および誘導樋２０６の電位は、機構板の金具２０９および金具２０９が取り付けられている機構板のベース体３６の電位と同じである。金具２０９は、払出制御基板３７およびカードユニット５０を介して接地されている。よって、打球レール、貯留タンク３８、球払出装置内の球通路２９３、誘導樋２０６および機構板のベース体３６の電位は接地レベルである。
【００７８】
以上に説明したように、遊技盤６において遊技媒体と接触可能な位置に設置されている各構造体の少なくとも一部（図８に示す例では、可変表示部９の表飾り９Ａ、サイドランプ２５の接触部、可変入賞球装置１５および大入賞口の開閉板２０が該当）に導電性合成樹脂部材が用いられ、さらに、導電性合成樹脂部材が間接的に接地されている。遊技媒体と接触可能な位置に導電性合成樹脂部材を配置するように構成すれば、急激な放電の発生が緩和され、制御基板内の電子回路に対して電磁妨害を与える可能性がなくなる。例えば、ステンレス含有合成樹脂の比抵抗は１０５〜１０７Ω・ｃｍ程度と金属に比べて大きいので、急激な放電が発生することはない。
【００７９】
なお、上記の実施の形態では、ステンレスを含有する合成樹脂としてステンレス繊維をフィラーとする合成樹脂が用いられたが、フィラーとしてフレーク状等のステンレススチールを含有する合成樹脂を用いてもよい。
【００８０】
さらに、上記の実施の形態では、遊技盤６に設置されている可変表示部９の表飾り９Ａ等の遊技球に接触しうる構造体のすくなとも一部が、ステンレスフィラー等の導電性物質を含有する導電性合成樹脂で形成されていたが、そのような構造体を含む遊技盤６に存在する各部材（例えば釘を含む）のうちに導電性物質を含有する導電性合成樹脂で形成されているものがあるように構成されていてもよい。
【００８１】
また、上記の各実施の形態のパチンコ遊技機１は、始動入賞にもとづいて可変表示部９に可変表示される特別図柄の停止図柄が所定の図柄の組み合わせになると所定の遊技価値が遊技者に付与可能になる第１種パチンコ遊技機であったが、始動入賞にもとづいて開放する電動役物の所定領域への入賞があると所定の遊技価値が遊技者に付与可能になる第２種パチンコ遊技機や、始動入賞にもとづいて可変表示される図柄の停止図柄が所定の図柄の組み合わせになると開放する所定の電動役物への入賞があると所定の権利が発生または継続する第３種パチンコ遊技機であっても、本発明を適用できる。
【００８２】
【発明の効果】
請求項１記載の発明では、遊技機を、遊技媒体が接触可能な位置に配置された構造体における少なくとも一部が導電性物質を含有する導電性合成樹脂で形成されている構成にしたので、遊技領域内での遊技球の急激な放電にもとづくノイズの発生を防止することができ、制御回路に誤動作を生じさせない効果がある。また、記録媒体処理装置と通信を行うための配線ケーブルが接続される基板を備え、基板に、導電性合成樹脂に電気的に接続される第１のコネクタと、第１のコネクタと電気的に接続され、記録媒体処理装置の接地部に配線ケーブルを介して電気的に接続される第２のコネクタとが設けられているので、容易に遊技機側の接地必要箇所を接地することができる。
【００８３】
請求項２記載の発明では、構造体は取付部を含み、取付部が導電性合成樹脂で形成されているので、構造体の遊技盤への取り付けが簡便になるとともに、取付部が遊技媒体に接触するような場合でも急激な放電の発生を防止することができる。
【００８４】
請求項３記載の発明では、遊技盤が導電性部材を含むように構成されているので、遊技媒体に対する帯電防止効果を発揮させることができる。
【００８５】
請求項４記載の発明では、構造体における取付部が、遊技盤における導電性部材と導通するように導電性の取付部材で遊技盤に取り付けられているので、遊技媒体が帯電している場合に、その電荷を導電部分に逃がすことができ、より効果的に急激な放電を防止することができる。
【００８６】
請求項５記載の発明では、シート状の導電性部材が遊技盤の表面または内部に積層されるように構成されているので、導電性部材の形成が容易であるとともに、導電性部材を目立ちにくくすることができる。
【００８７】
請求項６記載の発明では、構造体が遊技媒体と接触可能な接触部を含み、接触部が導電性合成樹脂で形成されているので、特に遊技球と接触しやすい部分において、急激な放電を防止することができる。
【００８８】
請求項７記載の発明では、接触部において導電性合成樹脂部分が遊技媒体と直接接触するように露出しているので、すなわち、金属めっき等が施されていないので、導電性が高くなってしまうことはなく、急激な放電防止の効果が低減してしまうことはない。
【００８９】
請求項８記載の発明では、導電性合成樹脂で形成されている部分を接地するための接地接続部が備えられているので、遊技媒体が帯電している場合に、その電荷を接地側に逃がすことが可能になる。
【００９０】
請求項９記載の発明では、導電性合成樹脂がステンレスフィラーを含有したものであるから、急激な放電を防止できる範囲内において合成樹脂の導電性を高めることができる。
【００９１】
請求項１０記載の発明では、ステンレスフィラーが繊維状であるから、フィラーの結合度が高く、強度の高い部材を形成することができる。
【００９２】
請求項１１記載の発明では、導電性合成樹脂がカーボンを含有したものであるから、急激な放電を防止できる範囲内において合成樹脂の導電性をより高めることができる。
【００９３】
請求項１２記載の発明では、構造体における発光手段からの光を透光させる部分は非導電性合成樹脂からなるように構成されているので、構造体を急激な放電を防止できるような構造にしても、外部から見た発光手段の性能は低下しない。
【００９４】
請求項１３記載の発明では、構造体には可変表示装置における装飾部材が含まれるので、可変表示制御を行う回路に対してノイズを与えないようにすることができ、可変表示制御が確実に実行される。
【００９５】
請求項１４記載の発明では、遊技盤の表面に設置されている部材に導電性物質を含有する導電性合成樹脂で形成されている部材が含まれている構造であるから、遊技球が接触する可能性が高い部分において導電性合成樹脂で形成されている部材を用いることができ、遊技領域内での遊技球の急激な放電にもとづくノイズの発生を防止することが可能になる。また、記録媒体処理装置と通信を行うための配線ケーブルが接続される基板を備え、基板に、導電性合成樹脂で形成されている部材に電気的に接続される第１のコネクタと、第１のコネクタと電気的に接続され、記録媒体処理装置の接地部に配線ケーブルを介して電気的に接続される第２のコネクタとが設けられているので、容易に遊技機側の接地必要箇所を接地することができる。
【図面の簡単な説明】
【図１】  パチンコ遊技機を正面からみた正面図である。
【図２】  サイドランプとその周辺部分の構成例を示す部分断面図である。
【図３】  ガラス扉枠を取り外した状態での遊技盤の前面を示す正面図である。
【図４】  遊技機を裏面から見た背面図である。
【図５】  各種部材が取り付けられた機構板を遊技機背面側から見た背面図である。
【図６】  機構板を遊技機表側の斜め方向から見た斜視図である。
【図７】  機構板の下部を示す部分斜視図である。
【図８】  遊技盤を、打球レール、機構板に取り付けられる各部材、払出制御基板およびカードユニットとともに示す結線図である。
【符号の説明】
６      遊技盤
７      遊技領域
９      可変表示部
９Ａ    表飾り（装飾部材）
１５    可変入賞球装置
２０    開閉板
２５    遊技効果ＬＥＤ（サイドランプ）
４２    逆流防止部材
４３    風車
２３１  レンズ部材
２３３  接触部
２３５  取付部
２３６  ビス
２４０  導電シート
【図１】
0004712180.tif 000002
【図２】
0004712180.tif 000003
【図３】
0004712180.tif 000004
【図４】
0004712180.tif 000005
【図５】
0004712180.tif 000006
【図６】
0004712180.tif 000007
【図７】
0004712180.tif 000008
【図８】
0004712180.tif 000009